(57)【要約】【課題】低学年でも文書を作るきっかけを絵であたえながら文章を作らせることができる文書作成方法を得る。【解決手段】本体部１と複合印刷機３とを接続したシステムである。本体部１はモード設定部１０と、袋作成部１２と、お話し作り用対話絵作成部１５と、シート毎問題文章作成部１８と、シート毎書込文書取込部１９と、個人絵本作成部２２、表示器２を備えて、手書きで作成された文章を繋げていく学習をさせる。  【選択図】  図１
2009237606.tif 000002
【特許請求の範囲】
【請求項１】
スキャナ機能及び印刷機能を備えた印刷機とコンピュータ本体部とを接続して、入力された絵又は写真画像の複数の入力画像から任意の入力画像を選択させて個人毎の意味がとおる手書きの文章を出力する文書作成方法であって、
袋名毎に、前記入力画像と画像名と作成日と作成者名と袋名とを有する入力画像識別情報を記憶した画像ファイル群を有すると共に、対話問題作成情報、問題毎解答文書作成済シート管理情報、完成文章情報を記憶手段に記憶する工程と、
前記袋名の画像ファイルからメインの入力画像及び相手となる入力画像を選択させて、前記メインの入力画像の周囲に前記相手となる入力画像を配列した入力項目表を作成して表示する工程と、
前記記相手となる入力画像の配列順に番号を生成し、この番号を対話番号とし、該対話番号毎に、前記入力項目表の識別情報と前記メイン及び相手となる入力画像の各々の前記入力画像識別情報と該入力画像識別情報の入力画像名及び問題の基準文を組み合わせた問題情報とを含んだ対話問題作成情報を生成する工程と、
前記対話番号毎の対話問題作成情報を読み込み、この対話問題作成情報に基づいて前記問題文の近傍に前記メインの入力画像及び相手となる入力画像を割付け、かつ手書き蘭並びに前記入力項目表の識別情報が割付けられた問題毎文書書込用シートを前記印刷機から印刷させる工程と、
前記手書き蘭に文書が書き込まれ前記問題毎文書書込用シートの情報を問題毎問題毎文書書込シートの情報として前記印刷機から取り込み、該取り込み順に前記記憶手段に蓄積する工程と、
前記蓄積された前記問題毎文章書込済シートの情報を順に読み込んで、該読み込んだ問題毎文書書込済シートの情報の前記入力項目表の識別情報とその対話問題作成情報の対話番号と前記読み込まれた問題毎文書書込済シートの情報の手書き蘭内の全ての手書き文章とを関連させた問題毎解答文書作成済シート管理情報を生成する工程と、
前記問題毎解答文書作成済シート管理情報の対話番号と入力画像の画像名と手書き蘭の文章とを組み合わせた問題毎入力欄情報を、問題毎解答文書作成済みシート管理情報毎に生成し、これを前記全手書文書順情報として前記記憶手段に記憶して表示する工程と、
前記全手書文書順情報のいずれかの対話番号が変更されたとき、該変更後の数字に対応する対話番号に関連付けられている手書き蘭の全ての手書き文章を前記記憶手段から読込み、この読み込んだ手書き文章を、前記いずれかの対話番号に関連付けられている手書き蘭の文章に変更し、これを完成文章情報として印刷又は画面に表示する工程と
を行うことを特徴とする文書作成方法。
【請求項２】
前記記憶手段は、
手書きの接続語が行単位で書き込まれた接続語シートを記憶し、
前記完成文章が表示されたとき、前記接続語シートを近傍に表示する工程と、
前記接続語シートのいずれかの行が指定され、かつ前記完成文章の行間が指定されときは、該行間に前記接続語シートの指定されたいずれかの行の接続語を挿入する工程と、
前記接続語が書き込まれた行が挿入された完成文章情報を新たな完成文章情報として前記記憶手段に記憶して、これを印刷又は表示する工程と
を行うことを特徴とする請求項１記載の文書作成方法。
【請求項３】
前記手書き蘭は、ｎ行ｉ列の格子状であり、ｎ行のウインドウで前記手書き蘭の各行の手書き文章を抽出し、これを前記完成文章情報とすることを特徴とする請求項１又は２記載の文章作成方法。
【請求項４】
前記文書欄に前記ｎ行ウインドウを対応させ、前記指定された行間に対応するｎ行ウインドウの行間に前記指定された接続語を挿入して前記新しい完成文章を得る工程と
を行うことを特徴とする請求項２記載の文書作成方法。
【請求項５】
記袋群の各入力画像には、デジタル音がリンク付けされていることを特徴とする請求項１乃至３のいずれかに記載の文書作成方法。
【請求項６】
前記入力画像は、前記印刷機によって読み込まれた所定の大きさの手書き絵又は写真画像であることを特徴とする請求項１乃至４のいずれかに記載の文書作成方法。
【請求項７】
前記完成文章情報が生成されたとき、この情報の中の対話番号の配列順で手書き文章を読込む工程と、
前記読み込まれた手書き文章の対話番号を有する前記問題毎解答文章作成済シート情報から入力画像を読み込む工程と、
前記読み込んだ手書き文章及び入力画像とを組み合わせて所定のサイズの用紙に印刷させた絵本又は画面に表示する工程と
を行うことを特徴とする請求項１乃至６のいずれかに記載の文章作成方法。
【請求項８】
スキャナ機能及び印刷機能を備えた印刷機とコンピュータ本体部とを接続して、入力された絵又は写真画像の複数の入力画像から任意の入力画像を選択させて個人毎の意味がとおる手書きの文章を出力する文書作成方法プログラムであって、
コンピュータに、
袋名毎に、前記入力画像と画像名と作成日と作成者名と袋名とを有する入力画像識別情報を記憶した画像ファイル群を有すると共に、対話問題作成情報、問題毎解答文書作成済シート管理情報、完成文章情報を記憶手段に記憶する手段、
前記袋名の画像ファイルからメインの入力画像及び相手となる入力画像を選択させて、前記メインの入力画像の周囲に前記相手となる入力画像を配列した入力項目表を作成して表示する手段、
前記記相手となる入力画像の配列順に番号を生成し、この番号を対話番号とし、該対話番号毎に、前記入力項目表の識別情報と前記メイン及び相手となる入力画像の各々の前記入力画像識別情報と該入力画像識別情報の入力画像名及び問題の基準文を組み合わせた問題情報とを含んだ対話問題作成情報を生成する手段、
前記対話番号毎の対話問題作成情報を読み込み、この対話問題作成情報に基づいて前記問題文の近傍に前記メインの入力画像及び相手となる入力画像を割付け、かつ手書き蘭並びに前記入力項目表の識別情報が割付けられた問題毎文書書込用シートを前記印刷機から印刷させる手段、
前記手書き蘭に文書が書き込まれ前記問題毎文書書込用シートの情報を問題毎問題毎文書書込シートの情報として前記印刷機から取り込み、該取り込み順に前記記憶手段に蓄積する手段、
前記蓄積された前記問題毎文章書込済シートの情報を順に読み込んで、該読み込んだ問題毎文書書込済シートの情報の前記入力項目表の識別情報とその対話問題作成情報の対話番号と前記読み込まれた問題毎文書書込済シートの情報の手書き蘭内の全ての手書き文章とを関連させた問題毎解答文書作成済シート管理情報を生成する手段、
前記問題毎解答文書作成済シート管理情報の対話番号と入力画像の画像名と手書き蘭の文章とを組み合わせた問題毎入力欄情報を、問題毎解答文書作成済みシート管理情報毎に生成し、これを前記全手書文書順情報として前記記憶手段に記憶して表示する手段、
前記全手書文書順情報のいずれかの対話番号が変更されたとき、該変更後の数字に対応する対話番号に関連付けられている手書き蘭の全ての手書き文章を前記記憶手段から読込み、この読み込んだ手書き文章を、前記いずれかの対話番号に関連付けられている手書き蘭の文章に変更し、これを完成文章情報として印刷又は画面に表示する手段
としての機能を実行させるための文書作成プログラム。
【発明の詳細な説明】
【技術分野】
【０００１】
本発明は、文書作成方法に関し、特に低学年のための文書作成方法に関する。
【背景技術】
【０００２】
一般に文章学習というのは、簡単な本をよみこませたり、あるいはあるテーマを与えて文章を書き込ませたりする。しかし、文章を作るとなると容易ではない。特に低学年が文章を作るとなると何から書いていけばよいのかが容易ではない。文章を作っていくには何等かのきっかけが必要である。
【０００３】
一方、国語教育の学習ソフトは多数ある。これらはほとんどが漢字の学習であったり、ある文章を読ませて答えさせるのがほとんどであった。
【特許文献１】特願平７−２３４６２９号公報
【発明の開示】
【発明が解決しようとする課題】
【０００４】
本発明は、低学年でも文書を作るきっかけを絵であたえながら文章を作らせることができる文書作成方法を得る。
【課題を解決するための手段】
【０００５】
本発明の文書作成方法は、スキャナ機能及び印刷機能を備えた印刷機とコンピュータ本体部とを接続して、入力された絵又は写真画像の複数の入力画像から任意の入力画像を選択させて個人毎の意味がとおる手書きの文章を出力する文書作成方法であって、
袋名毎に、前記入力画像と画像名と作成日と作成者名と袋名とを有する入力画像識別情報を記憶した画像ファイル群を有すると共に、対話問題作成情報、問題毎解答文書作成済シート管理情報、完成文章情報を記憶手段に記憶する工程と、
前記袋名の画像ファイルからメインの入力画像及び相手となる入力画像を選択させて、前記メインの入力画像の周囲に前記相手となる入力画像を配列した入力項目表を作成して表示する工程と、
前記記相手となる入力画像の配列順に番号を生成し、この番号を対話番号とし、該対話番号毎に、前記入力項目表の識別情報と前記メイン及び相手となる入力画像の各々の前記入力画像識別情報と該入力画像識別情報の入力画像名及び問題の基準文を組み合わせた問題情報とを含んだ対話問題作成情報を生成する工程と、
前記対話番号毎の対話問題作成情報を読み込み、この対話問題作成情報に基づいて前記問題文の近傍に前記メインの入力画像及び相手となる入力画像を割付け、かつ手書き蘭並びに前記入力項目表の識別情報が割付けられた問題毎文書書込用シートを前記印刷機から印刷させる工程と、
前記手書き蘭に文書が書き込まれ前記問題毎文書書込用シートの情報を問題毎問題毎文書書込シートの情報として前記印刷機から取り込み、該取り込み順に前記記憶手段に蓄積する工程と、
前記蓄積された前記問題毎文章書込済シートの情報を順に読み込んで、該読み込んだ問題毎文書書込済シートの情報の前記入力項目表の識別情報とその対話問題作成情報の対話番号と前記読み込まれた問題毎文書書込済シートの情報の手書き蘭内の全ての手書き文章とを関連させた問題毎解答文書作成済シート管理情報を生成する工程と、
前記問題毎解答文書作成済シート管理情報の対話番号と入力画像の画像名と手書き蘭の文章とを組み合わせた問題毎入力欄情報を、問題毎解答文書作成済みシート管理情報毎に生成し、これを前記全手書文書順情報として前記記憶手段に記憶して表示する工程と、
前記全手書文書順情報のいずれかの対話番号が変更されたとき、該変更後の数字に対応する対話番号に関連付けられている手書き蘭の全ての手書き文章を前記記憶手段から読込み、この読み込んだ手書き文章を、前記いずれかの対話番号に関連付けられている手書き蘭の文章に変更し、これを完成文章情報として印刷又は画面に表示する工程と
を行うことを要旨とする。
【発明の効果】
【０００６】
以上のように本発明によれば、主人公の絵と相手となる任意の数の絵とを画面上において選択させ、この選択された絵同士に対しての入力された問題文とその絵同士と手書き書き込み蘭とを有するシートを印刷させている。このため、低学年でも絵同士を見ることで、物語をイメージできる。
【０００７】
従って、容易に手書き蘭に文章を書き込みができる。
【０００８】
また、シートは選択された絵同士毎に印刷され、このシートの手書きの文章が書き込まれた文書蘭の上に番号を付けて画面に表示し、この番号の変更で、変更された文章蘭に変更された番号に対応する手書き文章を移動させるので、低学年でも主人公の絵と選択された任意の数の絵とに対しての文章を意味がとおるように並べることができる。
【０００９】
従って、文章作成の学習になる。
【発明を実施するための最良の形態】
【００１０】
図１は本実施の形態の文書作成システムの概略構成図である。図１の文書作成システムは、文書作成システムの本体部１（例えば、卓上型コンピュータ）とスキャナ機能及びプリンタ機能を有する複合印刷機３とを接続したシステムである。本体部１は表示機２を備えて、手書きで作成された文章を繋げていく学習をさせる。
【００１１】
これを実現するために、本体部１は、モード設定部１０と、袋作成部１２と、お話し作り用対話絵作成部１５と、シート毎問題文章作成部１８と、シート毎書込文書取込部１９と、個人絵本作成部２２等を備えている。
【００１２】
複合印刷機３は、写真又は手書きのカードの絵Ａｉ（Ａ４サイズ、Ａ４の１／４、１／２サイズ等）、手書きの接続語（接続詞、接続助詞）を書き込みさせるための接続言書込用シートＢｉ（Ａ４サイズ、Ａ４の１／４、１／２サイズ等）又は、接続言書込済みシートＤｉ（接続語シート）又は、問題毎文書書込用シートＥｉ又は問題毎文書書込済シートＦｉを読み込み、これらを内部メモリ（図示せず）に記憶し、本体部１からの指示によって順次、本体部１に出力又は印刷する。
【００１３】
なお、本実施の形態では、複合印刷機３で読み込んだカードの絵Ａｉ（入力画像ともいう）のデジタル情報をカードデジタル情報ａｉ（イメージ）と称し、接続言書込用シートＢｉのデジタル情報を接続言書込用シート情報ｂｉと称し、接続言書込済シートＤｉ（接続語シートＤｉ）のデジタル情報を接続言書込済シート情報ｄｉ（接続語シート情報ｄｉともいう）と称し、文書書込用シートＥｉのデジタル情報を問題毎文書書込用シート情報ｅｉと称し、文書書込済シートＦｉのデジタル情報を文書書込済シートｆｉと称する。
【００１４】
前述の問題毎文書書込用シート情報ｅｉは、対話番号と作成したｎ２法項目入力済表番号Ｑｋとをリンク付けして管理されている（問題毎解答文書作成済シート管理情報Ｆｆｉ）。
【００１５】
モード設定部１０は、メニュー画面表示機能（カード取り込みボタン、音取り込み、接続語取り込みボタン、接続機設定ボタン、問題文入力ボタン、絵本作りボタン等）を備え、選択されたボタンに該当する各部を起動させる。
【００１６】
袋作成部１２は、複合印刷機３からの手書きの絵又は写真であるカードＡｉのデジタル情報であるカードデジタル情報ａｉを読込み、このカードデジタル情報ａｉに、入力された袋の種類の名所ａａｉ（動物、お花・・）と作成者名と年月日（時間含むようにしてもよい）とカード名ａｉｂ（犬、チューリップ・・）等を付加した後に、種類別に分類してメモリ１３ｉ（１３ａ、１３ｂ、・・・）に記憶する。これをカード識別情報Ａａｉ（Ａａａ、Ａａｂ、・・・：入力画像識別情報）と称する。
【００１７】
また、入力された音（音楽含む）に、作成者名と年月日と音名（犬の声、鳥の声、お花の歌・・）を付加した音情報をカード識別情報Ａａｉに関連付けてメモリ１３ｉに記憶する。
【００１８】
お話し作り様対話絵作成部１５は、希望の分類袋（メモリ１３ｉ）を表示して７個選択させ、この７個の分類袋からそれぞれ１つのカードを選択させ、この選択されたカードａＡｉ（ａＡ１、ａＡ２・・ａＡ７：７個）の内で１個を主人公として、後述するｎ２法初期入力項目表（中央に正六角形（番号Ｊ０）、周囲に六個の正六角形（番号Ｊ１〜Ｊ６）の中央に埋め込んで、残り６個を主人公とのお話を考える関連カードとして周囲に埋め込む。この関連カードの絵が埋め込まれたｎ２法初期入力項目表を単にｎ２法項目入力済表Ｋｉと称する。このｎ２法項目入力済表Ｋｉの情報をｎ２法項目入力済表情報Ｑｉ（入力項目表）と称する。
【００１９】
そして、中央の主人公のカードの絵と周囲の関連カード（相手となる入力画像）、１個毎に番号を割付け（対話番号Ｌｉ（Ｌ１〜Ｌ６）を割付け）、この対話番号Ｌｉ毎に選択された主人公のカードデジタル情報ａＡｉと選択された関連カードのカードデジタル情報ａＡｉ（カード名含む：入力画像識別情報）と後述する問題用単語Ｍｉとを関連付けた対話問題作成情報Ｐｉ（Ｐ１〜Ｐ６：対話番号管理情報ともいう）をメモリ１７に生成する。
【００２０】
シート毎問題文書作成部１８は、対話番号Ｌｉ毎の対話問題作成情報Ｐｉ（対話番号Ｌｉ、ｎ２法項目入力済表情報Ｑｉの番号Ｑｋ、問題用単語Ｍｉの単語番号ｇｂｉ、ｇｄ、六角形番号、選択されたカード情報ａＡｉ（７個）、カード名、問題の単語）が生成されると、この対話問題作成情報Ｐｉ（対話番号管理情報）に基づいて、文書書込用初期シート情報の問題欄にカード名及び問題用単語Ｍｉ等を自動的に問題を書き込んだ文書書込用シート情報ｅｉを、対話番号Ｌｉ毎の対話問題作成情報Ｐｉ毎に生成して、これを複合印刷機３に送出して文書書込み用シートＥｉとして印刷させる。
【００２１】
シート毎文章書込取込部１９は、複合印刷機３から問題毎文書書込済シートＦｉの問題毎文書書込済シートｆｉ又は接続語書込済シートＤｉの接続語書込済シート情報ｄｉを取り込んでメモリ２０に記憶する。
【００２２】
また、後述する問題解答文書作成済シート管理情報Ｆｆｉ、文書を順番に整理するための基本となる文書順決定用基本フォーム情報Ｔｏ（文書順は予め１、２、・・・と書き込まれている：順番で区切っている。これらを総称したものを全手書き文書順情報ＴＨｉという）等を記憶している。
【００２３】
そして、複合印刷機３からのシート情報が接続言書込済シートＤｉか文書書き込み済みシートＦｉかどうかを判断し、問題毎文書書込済シートｆｉの場合は、メモリ２０に記憶し、接続言書込済シートの場合はメモリ２４に記憶する。
【００２４】
また、問題毎文書書込済シート情報ｆｉを複合印刷機３から取り込んだときは、このシート情報の識別コード（バーコード）のＱｋとＬｉとを有する問題毎文書作成シート管理情報Ｗｉをメモリ２１から引当る。
【００２５】
そして、この情報の問題毎文書書込シート情報ｅｉのｅｂに、メモリ２０に取り込んだ問題毎文書書込済みシート情報ｆｉの手書き文章欄ｅｂのイメージデータＦｉｅｂを書き込んだ問題毎解答文書作成済シート管理情報Ｆｆｉをメモリ２０に生成する（図２０（ｂ）参照）。
【００２６】
また、問題毎文書書込済シート情報ｆｉを取り込むと、後述する文書順決定用基本フォーム情報Ｔｏの順番を順次読み込み、この順番と同じ対話番号を有する問題毎解答文書作成済シート管理情報Ｆｆｉをメモリ２０から順次読込み、この問題毎解答文書作成済シート管理情報Ｆｆｉに含まれる問題毎文書解答書込済情報ｆｅｉのｅｂのイメージデータＦｉｅｂを文書順決定用基本フォーム情報Ｔｏの「作成した文書欄」に書き込んだ全手書き文書順決定用情報ＴＨｉをメモリ２０に生成する。
【００２７】
さらに、この全手書き文書順決定用情報ＴＨｉを読み出して画面に表示し、順番Ｔｐｉの番号が変更される毎に、この順番Ｔｐｉの番号に対応するイメージデータＦｉｅｂを「作成した文書欄」に移動した新たな全手書き文書順決定用情報ＴＨｉを得て画面に表示する。
【００２８】
また、文書順決定用情報ＴＨｉの順番で手書き蘭に書き込まれた手書き情報Ｆｉｅｂを組み合わせた仮完成文章情報Ｘｐを生成して表示すると共に、メモリ２４の接続語を画面に表示し、仮完成文章情報Ｘｐに選択された接続言を埋め込んだ完成文章情報Ｙｉを作成してメモリ２０に記憶して画面に表示又は印刷する。
【００２９】
個人絵本作成部２２は、完成文章情報Ｙｉのイメージデータ（手書き）と選択カード情報とを読み込み、これを絵本情報Ｚｉとして指定のサイズの用紙で複合印刷機３から印刷させる。
【００３０】
＜動作説明＞
図２は本実施の形態１のメイン処理を説明するフローチャートである。本実施の形態では、小学低額低学年が文章を作成して例を説明する。小学生の場合は、保護者と共同で互いに会話しながら作成していくのが好ましい。保護者は、子供と対話して手書き（クレヨン、マジック、筆）によって絵を多数描かせて、これを複合印刷機３に読込みさせているとする（Ａ４が好ましい）。また、接続言を接続言書込用シートＢｉに手書きで書き込みさせているとする。
【００３１】
本実施の形態では、動物、好きなもの、花の絵などに分けて、例えばそれぞれ９枚程度書き込みさせておくのが好ましい。
【００３２】
そして、図２に示すように、モード設定部１０は、ＣＤ−ＲＯＭ５に記憶されているプログラムを内部にダウンロードして各部の起動準備を行う初期設定処理を行う（Ｓ１）。このとき、図２に示すようにメニュー画面を表示する。メニュー画面は、カード取り込みボタン、音取り込み、接続語取り込みボタン、接続機設定ボタン、問題文入力ボタン、絵本作りボタン、対話絵作りボタン等からなる。
【００３３】
次に、モード設定部１０は、メニューの選択かどうかを判断する（Ｓ２）。ステップＳ２において、カード取り込みの選択と判定したとき袋作成部１２及び文書書込シート作成部１８を起動させる（Ｓ３）。
【００３４】
また、ステップＳ２において、接続言取込の選択と判定したときは、書込文章取込部１９を起動させる（Ｓ４）。
【００３５】
絵本作りの選択と判定したときは、個人絵本作成部２２を起動させる（Ｓ５）。さらに、対話絵作りの選択と判定したときは、お話し作り用対話絵作成部１５を起動させる（Ｓ６）。
【００３６】
そして、いずれかの処理を行った後は、終了かどうかを判断し、終了でないときは処理をステップＳ１に戻す（Ｓ７）。
【００３７】
（袋作成）
次に、袋作成部１２の処理について以下に説明する。
【００３８】
袋作成部１２は、起動に伴って、図３（ａ）に示すように、取り込み初期画面を表示する。本実施の形態では、手書きの絵を読み込みさせるので、スキャナーを選択して、取り込みボタンを選択する。
【００３９】
また、デジタル写真、あるいはデジタルの絵の場合は、外部メモリを選択して取り込みボタンを押す。さらに、イラスト要素ファイルから予め記憶されているイラストを用いてもよい（図５（ｂ）参照）。
【００４０】
この取り込みボタンの選択で、図３（ｂ）に示すように、複合印刷機３が保存しているカードの絵Ａｉのカードデジタル情報ａｉを内部に順次取り込んで表示器にサムネイル表示する。このとき、サムネイル画面の近傍には、図３（ｃ）に示すカード取込初期画面が表示（袋の種類名と作成者名とカード名とを入力させるためのカード取込初期画面）、音取り込み画面、修正パレット画面等されている。
【００４１】
そして、保護者は、何のカード（絵）にするかを対話しながら子供に決めさせて、子供にサムネイル画面から１個選択させる。  この選択によって図３（ｃ）に示すように、その選択したカードの絵（例えば犬）が表示される。保護者は、カード取込初期画面において、袋名ａａｉ（例えば、動物）と作成者名と、カード名ａｉｂとを入力する。これに作成した年月日を付加（コンピュータのタイマを用いる）したものをカード識別情報Ａａｉと称する。
【００４２】
このとき、修正パレット（色、線の太さ等）を修正させるための修正パレットを画面に表示して、修正させてもよい。
【００４３】
そして、ＯＫが入力されると、袋作成部１２はカード取り込み初期画面の入力情報（種類ａａｉ、作成者、カード名ａｉｂ）を、選択されたカードのタグ情報として読込み、このタグ情報の種類に対応する袋（メモリ１３ｉ）を生成して、この袋にタグ情報とカード（犬の絵）とこれに作成した年月日を付加（コンピュータのタイマを用いる）したものをカード識別情報Ａａｉ（入力画像識別情報）として記憶する（図３（ｄ）参照）。
【００４４】
このような処理を、動物、花、・・・毎に続けて行って、メモリ１３ｉに各種の袋ａａｉを作成する（図３及び図４参照）。
【００４５】
また、本実施の形態では、音をカードに対応させることが可能である。音を対応させる場合は、図３（ｃ）の音入力画面の中から新しい音、登録音のいずれかを選択させる。新しい音の場合は、マイクからの音をデジタルデータに代えて、音番号を付けてカード識別情報Ａａｉに付加してもよい。登録音を選択した場合は、図５（ａ）に示すように絵から音を選択できる。
【００４６】
すなわち、袋作成部１２によって生成される袋情報ＡＡｉ（メモリ１３ｉに生成される袋情報）は、図６に示すように、袋名ａａｉ（例えば動物）と袋番号Ａｂｉとにカード識別情報Ａａｉが付加されたものである。
【００４７】
このカード識別情報Ａａｉは、図６に示すように、カード番号ａｂｉと作成日とカード名ａｉｂ（例えば犬）とカードの絵ａｉと作者名と音番号ａｄｉと音データ等がリンク付けされた情報である。前述の袋番号Ａｂｉは、袋名をコード化するのが好ましい。
【００４８】
また、カード番号ａｂｉは、袋番号Ａｂｉと作成名と作成日との組みから構成するのが好ましい。音番号は、袋番号とカード番号に整数を組み合わせた番号にするのが好ましい。
【００４９】
（対話絵作り）
次に、対話絵作りボタンが選択された場合は、お話し作り用対話絵作成部１５及びシート毎問題文書作成部１８が起動する。
【００５０】
図７はお話し作り用対話絵作成部１５の処理を説明するための概略構成図である。図８はお話し作り用対話絵作成部の処理を説明するフローチャートである。
【００５１】
お話し作り用対話絵作成部１５は、図７に示すように、袋・袋内絵サムネイル処理部１５１と、ｎ２法入力項目表取込処理部１５２と、対話問題自動作成処理部１５３と、問題基本フォーム更新処理部１５４等から構成されている。
【００５２】
また、メモリ１７は、後述する問題基本フォーム情報Ｈｉが記憶される問題基本フォーム情報用メモリ１７ａと、選択されたカード識別情報ａＡｉ（ａＡ１、ａＡ２・・ａＡ７）が選択場所におけるカード配列番号Ｒｉ（Ｒ１、Ｒ２、・・Ｒ７）に対応させられて記憶される選択用カード情報用メモリ１７ｂと、ｎ２法項目入力済情報Ｑｉが記憶されるメモリ１７ｃ等からなる。
【００５３】
袋・袋内絵サムネイル処理部１５１は、対話絵作りのボタンが選択されると、メモリ１３ｉの袋情報ＡＡｉを読み込み、これらの袋名ａａｉを全て表示（絵付き）する。そして、袋が選択されると、その袋内のカードの絵ａｉを全てサムネイル表示し、このサムネイル表示されたカードの絵ａｉが選択する毎に、サムネイル画面の下に予め設定されている選択場所Ｒｉに選択順に配列表示し、所定個（例えば７個）が選択させる。このとき、選択カード情報用メモリ１７ｂに、配列番号Ｒｉ（Ｒ１、Ｒ２・・Ｒ７）と選択カード情報ａＡｉとからなるカード選択情報入力用テーブルを生成する。
【００５４】
そして、所定個のカードの絵が選択されると、このカード選択情報入力用テーブルに配列順に従って、選択されたカード識別情報Ａａｉを書き込みする。これを選択カード情報ａＡｉと称している。
【００５５】
ｎ２法入力項目表取込処理部１５２は、選択カード情報ａＡｉが記憶されたことが知らせられると、ｎ２法入力項目情報用メモリ１７ｃに予め記憶されているｎ２法初期入力項目表（中央に正六角形、周囲に６個の正六角形）を表示し、これらの正六角形に選択されたカードの絵を貼り付けさせたｎ２法項目入力済表Ｋｉを表示する。このｎ２法項目入力済表Ｋｉの情報が図９に示すｎ２法項目入力済表情報Ｑｉであり、ｎ２法項目入力済情報用メモリ１７ｃに保存する。
【００５６】
このｎ２法項目入力済情報Ｑｉは、図９に示すように、ｎ２法項目入力済表Ｑｉの番号Ｑｋ（年月日、作成者コードの組み）と対話番号Ｌｉ（配列順の番号）と、中央の正六角形番号Ｊ０と周囲の正六角形番号Ｊ１〜Ｊ６とがリンクつけされて構成されている。また、中央の正六角形番号Ｊ０には選択カード情報ａＡｉ（例えばお母さん：ａＡ７）と周囲の正六角形番号Ｊ１〜Ｊ６番号（犬のカード情報、山のカード情報・・・）がリンク付けされている。
【００５７】
対話問題自動作成処理部１５３は、ｎ２法項目入力済情報Ｑｉが生成されると、図１０に示すように、ｎ２法項目入力済表Ｋｉの下に問題基本フォーム用メモリ１７ａに予め記憶されている問題基本フォーム情報Ｈｉ（問題の基準分）を表示する。
【００５８】
本実施の形態では、図１０に示すように、「  」と「  」、「  」と「  」、「  」と「  」、「  」と「  」、「  」と「  」、「  」と「  」のお話しを考える。
【００５９】
となっている。この内、「  」以外の単語（点を含む）は書き換え可能となっている。
【００６０】
そして、図１０において、「  」と「  」、「  」と「  」、「  」と「  」、「  」と「  」、「  」と「  」、「  」と「  」に対しては、左から順番にカードの絵同士の対話番号Ｌｉ（Ｌ１、Ｌ２・・Ｌ６：但し本実施の形態では選択された相手となるカードは４枚として説明）を割付けられている。また、対話番号Ｌ１の「  」と「  」、の組みおいては、最初の「  」には番号ｇｂ１が、“と”には番号ｇｂ３が、次の「  」には番号ｇｂ２が割付けられている。
【００６１】
すなわち、問題基本フォーム情報Ｈｉは図１１に示すように、対話番号Ｌｉ毎のテーブル構造（ｇｄを含む）で管理されている。
【００６２】
そして、対話問題自動作成処理部１５３は、図１２（ａ）に示すように、ｎ２法項目入力済情報用メモリ１７ｃに記憶されているｎ２法項目入力済情報Ｑｉと問題基本フォーム用メモリ１７ａに記憶されている図１２（ｂ）に示す問題基本フォーム情報Ｈｉとを読み込み、図１２（ｃ）に示す対話問題作成情報Ｐｉをメモリ２１に生成する。そして、この対話問題作成情報Ｐｉを構成する対話番号Ｌｉにリンク付けされているカード名を問題基本フォーム情報Ｈｉの対話番号Ｌｉのｇｂｉの「  」に書き込み（「」は上書き）して表示する（図１３（ｂ）参照）。
【００６３】
この対話問題作成情報Ｐｉは、図１２（ｃ）に示すように、対話番号Ｌｉと単語番号と六角形番号Ｊｉと選択カード情報ａＡｉ（選択された入力画像）とカード名ａｉｂとｇｉ（ｇｂ１、ｇｂ２、ｇｂ３、ｇｂ４）の単語等からなる。つまり、対話番号Ｌｉを有するｎ２法項目入力済表情報Ｑｉのカード情報に含まれるカード名をｇｂｉに対応させている。
【００６４】
問題基本フォーム更新処理部１５４は、問題基本フォーム情報Ｈｉを表示した後に、ｇｂ３、ｇｂ４、ｇｄの単語が変更されると、これを受け付けて新たに問題基本フォームＨｉとして登録する。
【００６５】
次に、図８のフローチャートを用いて詳細に説明する。
【００６６】
図８に示すように、お話し作り用対話絵作成部１２は、メモリ１３ｉ（１３ａ〜１３ｆ）に生成された各袋情報ＡＡｉ（動物、花、すきなもの・・・）を読み、袋名ａａｉ（袋の絵付き）を全て画面に表示する（Ｓ１０、図１４（ａ））。
【００６７】
次に、画面に表示された袋名が選択されると、その袋のカードの絵をサムネイル表示（９個単位）する（Ｓ１１、図１４（ｂ）（ｃ））。
【００６８】
そして、７個のカードを選択させる（Ｓ１２、図１４（ｄ））。この選択は、１個の袋から７個選択してもよいし、７個の袋からそれぞれ１個選択して合計７個としてもよい。
【００６９】
また、この選択によって図１４（ｄ）に示すように配列され、これは配列番号Ｒｉで管理される。
【００７０】
図１４（ｄ）及び図１５（ａ）には、各袋から選択した数個のカードの絵を順に表示していることを示している。また、各カードの絵には、選択カード情報ａＡｉがリンク付けされていることを示している。
【００７１】
次に、お話し作り用対話絵作成部１５は、図１５（ｂ）に示すように、図１５（ａ）の下にｎ２法初期入力項目表を画面に表示させる（Ｓ１３）。
【００７２】
このｎ２法初期入力項目表は、中央の正六角形に番号Ｊｏが、反時計周りで周囲の正六角形にＪ１〜Ｊ６が割りあてられている。また、ＪｏとＪ１との関係を対話番号Ｌ１、ＪｏとＪ２との関係を対話番号Ｌ２、ＪｏとＪ３との関係を対話番号Ｌ３、ＪｏとＪ４との関係を対話番号Ｌ４、ＪｏとＪ５との関係を対話番号Ｌ５、ＪｏとＪ６との関係を対話番号Ｌ６としている。
【００７３】
また、中央の正六角形Ｊ０は、主人公となることを知らせるために色が表示され（斜線で示す）、Ｊ１の正三角形には、別の色が割りあてられている。これによって、Ｊ１に主人公に対して初めに考えるお話のカードを容易に決定できる。そして、Ｊ１にカードが埋め込まれると、Ｊ２を色別表示してＪ２にカードを埋め込ませる。このような処理をＪ６まで行う（Ｊ６まで行わなくともＪ３、Ｊ４まででもよい）。このｎ２法初期入力項目表に選択されたカードの絵が貼り付けられたものを単にｎ２法項目入力済表Ｋｉと称する（図１５（ｃ）参照）。
【００７４】
そして、ＯＫが選択されると、このｎ２法項目入力済表Ｋｉの情報、すなわち図１３（ｃ）に示すｎ２法入力項目済情報Ｑｉをメモリ１７ｃに作成する（Ｓ１４）。
【００７５】
例えば、Ｊｏにお母さんの絵、Ｊ１に犬の絵・・・・Ｊ４に木の絵、・・・が貼り付けられた場合において、ＪｏとＪ１とについて説明すると、、対話番号Ｌ１のｎ２法項目入力済情報ＱｉのテーブルのＪｏには、お母さんの選択カード情報ａＡ７がメモリ１７ｂから読み込まれて書き込まれ、Ｊ１には犬の選択カード情報ａＡ１がリンク付けされる（図１３（ａ））。
【００７６】
次に、対話番号Ｌ１〜Ｌ６までのｎ２法入力項目済情報Ｑｉを作成したかどうかを判断する（Ｓ１５）。
【００７７】
ステップＳ１５において、対話番号Ｌ１〜Ｌ６までのｎ２法入力項目済情報Ｑｉを作成していない場合は、次の対話番号に更新して処理をステップＳ１４に戻す。
【００７８】
また、ステップＳ１５において、対話番号Ｌ１〜Ｌ６までのｎ２法項目入力済情報Ｑｉを作成したと判定した場合は、対話問題自動作成部１５３はメモリ１７ａに記憶されている問題基本フォーム情報Ｈｉを読み込んで、これを図１６に示すようにｎ２法入力項目済表Ｋｉの下に表示する（Ｓ１７）。
【００７９】
次に、ＯＫが入力されたかどうかを判定し（Ｓ１８）、ＯＫが入力しないで変更が入力した場合は、記憶されている基本問題フォーム情報Ｈｉを入力した基本問題情報の文章に更新して処理をステップＳ１７に戻す（Ｓ１９）。
【００８０】
例えば「  」と「  」、「  」と「  」、「  」と「  」、「  」と「  」、「  」と「  」「  」と「  」のお話を考える。ここで、『“と”、“、”、“のお話を考える”。』を総称して問題用単語Ｍｉ（問題文の基準文）と称している。
【００８１】
という基本問題フォーム情報が「  」は「  」に対してどうしたか、「  」は「  」に対してどうしたか、「  」は「  」に対してどうしたか、「  」は「  」に対してどうしたか、「  」は「  」に対してどうしたか、「  」は「  」に対してどうしたかと変更されたときは、これを新たな基本問題フォーム情報Ｈｉにする。
【００８２】
また、ステップＳ１８において、ＯＫが入力した場合は、対話問題自動作成部１５３は、メモリ１７ｃの対話番号Ｌｉ毎のｎ２法入力項目情報Ｑｉ（図１２（ａ））とメモリ１７ａの対話番号Ｌｉ毎の問題基本フォーム情報Ｈｉとを読み込み、問題基本フォーム情報Ｈｉの単語番号ｇｂｉにカード情報のカード名を書き込んだ対話番号毎の対話問題作成情報Ｐｉをメモリ２１に作成する（Ｓ２０）。
【００８３】
そして、Ｌ１１〜Ｌ６までの対話問題作成情報Ｐｉを作成したかどうかを判断し（Ｓ２１）、作成していない場合は、次の対話番号に更新して処理をステップＳ２１に戻す（Ｓ２２）。
【００８４】
この対話問題作成情報Ｐｉは、図１２（ｃ）に示すように、対話番号毎のｎ２法項目入力済情報Ｑｉの対話番号と、そのｎ２法項目入力済表の番号Ｑｋに単語番号ｇｂｉと正六角形番号Ｊｉと選択カード情報ａＡｉとカード名ａｂｉとが対応させられている。
【００８５】
すなわち、メモリ２１には、ｎ２法項目入力表の番号Ｑｋに、対話番号毎の対話問題作成情報Ｐｉがリンクつけされて記憶される。
【００８６】
そして、ステップＳ２１において、Ｌ１〜Ｌ６まで対話問題作成情報Ｐｉを作成したと判定したときは、メモリ２１に生成された各対話問題作成情報Ｐｉの対話番号の単語番号に対応するカード名を読み込み、これを画面の対応する「  」に順次表示する（Ｓ２３、図１７参照）。
【００８７】
次に、シート毎問題文書作成部１８の処理を説明する。図１７はシート毎問題文章作成部１８を説明する概略構成図である。
【００８８】
シート毎問題文章作成部１８は、問題書込処理部１８１と識別コード書込処理部１８１２と問題絵書込処理部１８３と問題シート印刷指示処理部１８４等を備えている。
【００８９】
また、問題文章書込用基本シートフォーム情報ｅｏを記憶した問題基本フォーム用メモリ２１ａと、問題毎書込用シート情報ｅｉが記憶される問題書込シート用メモリ２１ｂ等を備えている。
【００９０】
前述の問題文章書込用基本シートフォーム情報ｅｏは、図１８（ａ）に示すように、Ａ４サイズにされ、バーコードｖｉが書き込まれるバーコード領域ｅｃ（領域は座標で定義）と、絵貼りこみ領域ｅｄ（座標）と、問題文入力領域ｅａ（座標）と作成文章書込領域ｅｂ等から構成されている。
【００９１】
問題文入力領域ｅａ（座標）は、例えば２行１５列程度の升目である。作成文章書込領域ｅｂは、例えば５行２０列程度の升目である。
【００９２】
この問題毎文章書込用基本シートフォーム情報ｅｏは、図１８（ｂ）に示すように、サイズと、問題文入力領域と作成文章書込領域とバーコード領域と絵貼付け領域とにｅｏ〜ｅｄのコードを割付けて管理している。
【００９３】
問題書込処理部１８１は、対話問題作成情報Ｐｉがメモリ１７に作成されると、メモリ２１ａから問題文章書込用基本シートフォーム情報ｅｏをメモリ２１ｂに読込み、この問題毎文章書込用基本シートフォーム情報ｅｏの問題文入力情報ｅａにメモリ１７の単語（「、」を含む）を順に書き込む。
【００９４】
また、識別コード書込処理１８２は、対話問題情報Ｐｉの対話番号、Ｑｋ番号及び年月日時刻を組み合わせた識別コードを生成し、これをバーコードｖｉ化してバーコード領域ｅｃに書き込む。
【００９５】
問題絵書込処理部１８３は、対話番号Ｌｉにリンク付けされているｇｂ１の選択カード情報ａＡ７を読み込み、この選択カード情報のカードの絵、ｇｂ２のカード情報の絵（ａＡ１、ａＡ２・・・又はａＡ６）をメモリ１３ｉから読み込む。そして、問題文入力領域ｅａに書き込まれた文章において、先頭の行からなぞって初めの“「”と“」”を検出して次の“「”と“」”を検出する。そして、初めの“「”から“」”との間となる絵貼付け領域ｅｄに、カード情報ａＡ７のカードの絵を貼り付け（書き込み）、次の“「”〜“」”の間に、ｇｂ２のカード情報の絵（ａＡ１、ａＡ２・・・又はａＡ６）を貼り付ける。これらが実際に問題毎文書書込用基本シートフォーム情報ｅｏに書き込まれたものを問題毎文章書込用シート情報ｅｉと称する。
【００９６】
また、この問題毎文書書込用シート情報ｅｉは、図２０（ａ）に示すように対話問題作成情報Ｐｉの対話番号Ｌｉと作成したｎ２法項目入力表番号Ｑｋとにリンク付けされた問題毎文書作成管理情報Ｗｉ（Ｗ１、Ｗ２、・・・Ｗ６）としてメモリ２１ｂに記憶される。
【００９７】
この問題毎文書作成管理情報Ｗｉの問題毎文書書込用シート情報ｅｉのｅｂｉ（ｅｂ１、ｅｂ２・・・）に手書きの文章がコピー（書き込まれた）ものを問題毎解答文章作成済シート管理情報Ｆｆｉと称する（図２０（ｂ）参照。）
問題シート印刷指示処理部１８４は、対話番号毎の問題毎文章書込用シート情報ｅｉを読込み、複合印刷機３から出力させて図１８（ｃ）に示す問題毎文書書込用シートＥｉを印刷させる。
【００９８】
図１９はシート毎問題文章作成部１８の処理を説明するフローチャートである。以下にこのフローチャートを用いて詳細に説明する。
【００９９】
問題書き込み処理部１９１は、メモリ１７に対話番号毎の対話問題作成情報Ｐｉが作成されたかどうかを判定する（Ｓ３１）。
【０１００】
ステップＳ３１において、対話問題作成情報Ｐｉが作成されたと判定したときは、対話番号Ｌｉを設定する（Ｓ３２）。本実施の形態では、対話番号Ｌ１を設定する。
【０１０１】
次に、メモリ２１ａの問題毎文章書込用基本シートフォーム情報ｅｏを読込む（Ｓ３３）。そして、設定された対話番号Ｌｉ（Ｌ１）のＪｏ（ｇｂ１）のカード情報ａＡ７と、Ｊｉ（ｇｂ２）のカード情報ａＡ１、ａＡ２・・・又はａＡ６の単語及びｇｂ３の単語、ｇｂ４の単語並びにｇｄの単語を読み込む（Ｓ３４）。
【０１０２】
本実施の形態では、対話番号Ｌ１が設定されたときは、図１７の対話問題情報Ｐｉに示すように、ｇｂ１のカード情報ａＡ７とｇｂ２のカード情報ａＡ１が読み込まれ、ｇｂ３の単語“と”が読み込まれ、ｇｂ４の単語“、”が読み込まれ、またｇｄは“のお話しを考える”が読み込まれる。
【０１０３】
次に、問題毎文章書込用基本シートフォーム情報ｅｏの領域ｅａに、ａＡ７のカード名、ａＡ１、ａＡ２・・又はａＡ６のカード名、ｇｂ３、ｇｂ２、ｇｂ４の単語を書き込む（Ｓ３５）。
【０１０４】
本実施の形態では、ｇｂ１を先頭にして問題毎文章書込用基本シートフォーム情報ｅｏの領域ｅａに、ａＡ７のカード名（「お母さん」）を、次にｇｂ３の“と”を、次にｇｂ２の「犬」をｇｂ４に“、”を書き込んで最後にｇｄ“のお話しを考える”を書き込む。
【０１０５】
次に、ａＡ７及びａＡ１、ａＡ２・・又はａＡ６のカードの絵をメモリ１３から読込み、領域ｅａにおいて先頭の「」の位置及び次の「」の位置を求め、領域ｅｄにおいてａＡ７及びａＡ１、ａＡ２・・又はａＡ６のカードの絵を貼り付ける（Ｓ３６）。対話番号Ｌ１の場合は、図１８（ｂ）に示すように「お母さん」の隣にお母さんの絵が貼り付けられ、「犬」の隣に犬の絵が貼り付けられる。
【０１０６】
次に、対話番号とＱｋとカード情報のカード番号と年月日とから識別コードを生成する（Ｓ３７）。
【０１０７】
このように生成された問題毎文書書込用シート情報ｅｉをメモリ２１ｂに記憶する（Ｓ３８）。このとき、図２０（ａ）に示すように、対話番号と作成したｎ２法項目入力済表の番号Ｑｋとをリンク付けした問題毎文書作成シート管理情報Ｗｉとして記憶する。
【０１０８】
そして、Ｌ１〜Ｌ６までに対して問題毎文書書込用シート情報ｅｉを生成したかどうかを判断する（Ｓ３９）。生成していない場合は対話番号を次に更新して処理をステップＳ３２に戻す（Ｓ４０）。また、ステップＳ３９で生成していた場合は、問題毎文書書込用シート情報ｅｉ（ｅ１、ｅ２・・ｅ６）を、複合印刷機３に順次送出して文書書込用シートＥｉ（Ｅ１、Ｅ２・・・Ｅ６）を印刷させる（Ｓ４１）。
【０１０９】
これによって、学習者は文書書込用シートＥｉ（Ｅ１、Ｅ２・・・Ｅ６）毎に、そのシートに書き込まれた問題と絵とを見ながら手書きで作成文章書込領域ｅｂ（文章欄ともいう）に書いていく。この文章欄に書き込まれたシートを問題毎文書書込シートＦｉ（Ｆ１、Ｆ２・・・Ｆ６）という。
【０１１０】
（文章取り込み）
図２１はシート毎文書取込部１９を説明する概略構成図である。図２１に示すようにシート毎文書取込部１９は、取込処理部１９０と、文書順書込処理部１９１と、文書変更処理部１９２と、接続語挿入処理部１９３等を備えている。
【０１１１】
また、メモリ２０は、問題毎文書書込済シート情報ｆｉ（ｆ１、ｆ２、・・ｆ６）を一時記憶するためのメモリ２０ａと、後述する問題解答文書作成済シート管理情報Ｆｆｉが記憶されるメモリ２１ｃと、図２２（ａ）に示す文書を順番に整理するための基本となる文書順決定用基本フォーム情報Ｔｏ（文書順は予め１、２、・・・と書き込まれている：順番で区切っている）を記憶したメモリ２０ｂ等を備えている。
【０１１２】
この文書順決定用基本フォーム情報Ｔｏは、図２２（ａ）に示すように順番蘭、主人公、相手のカード名、作成した文章が書き込まれる欄等からなり、順番で区切っている。そして、順番毎に区切った領域を単に問題毎入力欄ＴＷｉと称する。また、これらを総称したものを全手書き文書順情報ＴＨｉという。
【０１１３】
また、問題毎入力欄ＴＷｉには番号Ｔｉ（Ｔ１、Ｔ２・・Ｔ６）が割付けられている。そして、図２２（ｂ）に示すように文書順決定用基本フォーム情報Ｔｏは、テーブル構造で管理されている。このテーブルを文書順決定用テーブルＧｗｏと称し、問題毎入力欄ＴＷｉの欄番号Ｔｉと主人公のカード名（Ｊｏの選択カード情報のカード名）と相手のカード名（対話番号の選択カード情報のカード名）と順番と入力文章欄等からなる。
【０１１４】
また、メモリ２１には図２２（ｃ）に示すように、接続言書込用シートＢｉを得るための接続言書込用シート情報ｂｉが記憶されている（図２２（ｄ））。この接続言書込用シートＢｉは、図２２（ｃ）に示すように、接続語シートであることの識別情報が書き込まれるバーコード蘭と、３語の接続言が書き込まれる３語用書込領域と、２語の接続言が書き込まれる２語用書込領域と、４語の接続言が書き込まれる４語用書込領域等から構成されている。そして、接続語書込用基本シート情報ｂｉとして管理されている。
【０１１５】
シート識別用のバーコードが書き込まれバーコード領域情報ｂａと、３語の接続言が書き込まれる３語用書込領域情報ｂｂ（各欄には番号ｂｂｉが割付けられている）と、２語の接続言が書き込まれる２語用書込領域情報ｂｃ（各欄には番号ｂｃｉが割付けられている）と、４語の接続言が書き込まれる４語用書込領域情報ｂｄ（各欄には番号ｂｄｉが割付けられている）等が管理されている。そして、バーコードが書き込まれたものを接続言書込済みシートＤｉという。
【０１１６】
取込処理部１９０は、複合印刷機３からのシート情報を読み込み、バーコードから接続言書込済シートＤｉか文書書き込み済みシートＦｉかどうかを判断し、問題毎文書書込済シートｆｉの場合は、メモリ２０ａに記憶し、接続言書込済みシートの場合はメモリ２１に記憶する。
【０１１７】
また、取込処理部１９０は、メモリ２０ａに記憶された問題毎文書書込済みシート情報ｆｉのＱｋと対話番号Ｌｉとを有する問題毎文書作成シート管理情報Ｗｉを引当て、この情報の問題毎文書書込シート情報ｅｉのｅｂに、メモリ２０ａに取り込んだ問題毎文書書込済みシート情報ｆｉの手書き文章欄ｅｂのイメージデータＦｉｅｂを書き込んだ問題毎解答文書作成済シート管理情報Ｆｆｉをメモリ２０ｃに生成する（図２０（ｂ）参照）。本実施の形態では問題毎文書書込シート情報ｅｉにイメージデータＦｉｅｂを書き込んだ個所の情報を問題毎文書解答書込済情報ｆｅｉという（図２０（ｂ）参照）。
【０１１８】
文書順書込処理部１９１は、メモリ２０ａに問題毎文書書込済シート情報ｆｉが記憶されると、図２２（ａ）に示す文書順決定用基本フォーム情報Ｔｏの順番を順次読み込み、この順番と同じ対話番号を有する問題毎解答文書作成済シート管理情報Ｆｆｉをメモリ２１ｃから順次読込み、この問題毎解答文書作成済シート管理情報Ｆｆｉに含まれる問題毎文書解答書込済情報ｆｅｉのｅｂのイメージデータＦｉｅｂを文書順決定用基本フォーム情報Ｔｏの「作成した文書欄」に書き込んだ情報をメモリ２０ｄ生成して、全手書き文書順決定用情報ＴＨｉを得る。
【０１１９】
文書変更処理部１９２は、メモリ２０ｄに生成された全手書き文書順決定用情報ＴＨｉを読み出して画面に表示し、順番Ｔｐｉの番号が変更される毎に、この順番Ｔｐｉの番号に対応するイメージデータＦｉｅｂを「作成した文書欄」に移動した新たな全手書き文書順決定用情報ＴＨｉを得て画面に表示する（ＯＫでメモリ２０ｄに記憶される）。
【０１２０】
また、文章変更処理部１９２は、ＯＫで文書順決定用情報ＴＨｉの順番でＦｉｅｂを組み合わせた仮完成文章情報Ｘｐを生成してメモリ２０ｃに記憶する。
【０１２１】
接続語挿入処理部１９３は、仮完成文章情報Ｘｐが表示されたとき、メモリ２１の接続語を画面に表示し、仮完成文章情報Ｘｐに選択された接続言を埋め込んだ完成文章情報Ｙｉを作成してメモリ２０ｅに記憶する。
【０１２２】
個人絵本作成部は、完成文章情報Ｙｉのイメージデータ（手書き）と選択カード情報とを読み込み、これを絵本情報Ｚｉとして指定のサイズの用紙で複合印刷機３から印刷させる。つまり、絵本情報Ｚｉは、対話番号Ｌｉ（Ｌ１〜Ｌ６）毎に、ｆｅｉのｅｂとカードの絵とを一組にした絵本データをＱｋごとに分類して記憶している。
【０１２３】
上記のように構成されたシート毎書込文書取込部１９の動作を図２４及び図２５のフローチャートを用いて詳細に説明する。本実施の形態では接続言は、既に取り込まれて文字が太く修正されてメモリ２１に保存されているとして説明する。
【０１２４】
初めに、取り込み処理部１９０は、文書取り込みボタンの選択で問題毎文書書込済シート情報ｆｉを順次取り込んでメモリ２０ａに一旦記憶する（Ｓ３１）。
【０１２５】
次に、メモリ２０ａの問題毎文書書込済シート情報ｆｉを順次画面に表示する（Ｓ３２、図２６（ａ）参照）。このとき、問題毎文書書込済シート情報ｆｉ毎に、そのｅｂに書き込まれているイメージデータＦｉｅｂの修正処理を行う（Ｓ３３）。この修正処理は、低学年生が手書きで書き込んだ文章であるので、細かったり、薄かったりする。このため図２６（ｃ）に示すように手書きの文字をなぞって一定の太さにする修正を行う（イラストレータ）。
【０１２６】
次に、取込処理部１９０は、メモリ２０ａに記憶された問題毎文書書込済シート情報ｆｉのＱｋと対話番号Ｌｉとを有する問題毎文書作成シート管理情報Ｗｉをメモリ２１ｂから引当て、この情報の問題毎文書書込シート情報ｅｉのｅｂに、メモリ２０ａに取り込んだ問題毎文書書込済シート情報ｆｉの手書き文章欄ｅｂのイメージデータＦｅｉを書き込んだ問題毎文章作成済シート情報ｆｅｉをメモリ２１ｃに生成する（図２７（ａ）参照）。
【０１２７】
例えば、対話番号Ｌ１の問題毎文書書込済シート情報ｆｉの場合は、ｅｂに、『お母さんは、犬といっしょにさんぽにさんぽに出かけました。』という手書きのイメージデータＦｉｅｂを書き込む。このような処理をＬ１（ｆ１）〜Ｌ６（ｆ６）まで実施した後に、文書順書込処理部１９１は、図２７（ａ）に示す文書順決定テーブルＧｗｉを生成する（Ｓ３５）。
【０１２８】
つまり、図２２（ｂ）に示すメモリ２０ｃの文書順決定用テーブルＧｗｏを読み込み、図２７（ａ）に示すように、順番と同じ対話番号を有する問題毎解答文書作成済シート管理情報Ｆｆｉを引当て、このなかのｅｄ１のカード名を主人公の欄に書き込み、ｅｄ２のカード名を相手のカード名の欄に書き込むと共に、入力文書欄にｅａのイメージデータを書き込んだ文書順決定済テーブル情報Ｇｗｉを生成する。このような処理を文書順決定テーブルＧｗｏのＴｉ（Ｔ１〜Ｔ６）毎に行う。
【０１２９】
本実施の形態では、文書順決定用テーブルＧｗｏの順番はＴ１が「１」番、Ｔ２が「２」番、Ｔ３が「３」番、Ｔ４が「４」番であるから文書順決定用情報ＴＨｉは、図２７（ｂ）に示すようになる。
【０１３０】
次に、文書順書込処理部１９１は、順番が変更されたかどうかを判断する（Ｓ３６）。順番が変更されたかどうかの判断は文書変更処理部１９２は、順番欄を定期的に読込み、前回の数字と相違しているかどうかを判断し、相違しているときに順番変更と判断する。本実施の形態では図２８（ａ）に示すように２番が４番に変更され４番が２番に変更されたとする。
【０１３１】
ステップＳ３６において、順番の変更と判定したときは、変更された数字を有する文書順決定用情報ＴＨｉの欄Ｔｉ（例えばＴ２）の数字Ｔｐｉ´を読み込み、変更前の欄Ｔｉに対応する文書順決定済テーブル情報Ｇｗｉ（ＧＷ２）の数字（例えば２）を、このＴｐｉ´の数字（例えば４）に書き換える（Ｓ３７、図２８（ａ）、図２８（ｂ））。
【０１３２】
そして、変更後の文書順決定済テーブル情報Ｇｗｉの文章欄のイメージデータＦｉｅｂのみを順番に従って組み合わせて図２９（ａ）又は図３０（ｂ）に示すような完成文書Ｙｉ（ＯＫになるまでは仮完成文章）を表示する（Ｓ３８）。
【０１３３】
この完成文章Ｙｉ（ｎ行ｉ列）の縦欄（行）に書き込まれた文章（イメージ）を本実施の形態では欄毎イメージデータＷＴＦｉ（ＷＴＦ１、ＷＴＦ２、・・・）と称する。
【０１３４】
このとき、文書変更処理部１９２は、図３０（ｃ）に示すウインドウＷＴｉを完成文章Ｙｉ（情報）にかける（Ｓ４０）。このウインドウＷＴｉは、図３０（ｃ）に示すように行ウインドウＷＴｉで構成されており、これのウインドウＷＴｉにイメージデータＷＴＦｉ（ＷＴＦ１、ＷＴＦ２、・・・）を画像ファイルとして取り込んで仮完成文章Ｘｐとしてメモリ２０ｅに記憶する。また、格子の境界線には境界番号ＷＳｉで管理されている。
【０１３５】
すなわち、仮完成文章Ｘｐの情報は、図３１（ａ）に示すように、識別コード（Ｑｋ、作成日を含む）と、画像ファイル番号ＸＷｉと、行ウインドウの番号ＷＴｉと、行毎イメージデータ（ＷＴＦｉ）と境界線番号ｗｓｉと文書順決定用情報ＴＨｉの縦欄番号Ｔｉと対話番号Ｌｉで構成する。
【０１３６】
例えば、図２９（ａ）に示すような仮完成文章Ｘｐが作成された場合は、『お母さんは、犬を連れてさんぽに出かけました。』というのが蘭毎イメージデータＷＴＦ１であり、『とおくに見える山をながめて、お母さんは、明日の』というのが蘭毎イメージデータＷＴＦ２であり、『天気ははれるかなと思いました。』というのが蘭毎イメージデータＷＴＦ３であり、『さんぽのとちゅうで雪がふってきました。』というのがが蘭毎イメージデータＷＴＦ４である。
【０１３７】
また、仮完成文章Ｘｐを表示すると共に、その近傍に図３０（ａ））に示す接続言を表示する（Ｓ４２）。
【０１３８】
そして、接続言の挿入個所の指定Ｗｓｉかどうかを判断する（Ｓ４３）。挿入個所の指定というのは、例えば境界線ｗｓｉが指定されると、その境界線の位置を挿入個所と判定する（図２９（ａ）参照）。本実施の形態ではＷＳ４が挿入個所として指定されたとする。
【０１３９】
次に、接続語の選択かどうかを判断する（Ｓ４４）。接続言の選択というのは、図３０（ａ）の接続語（また、すると、・・）が選択されると、それを接続語の選択と判定する。
【０１４０】
ステップＳ４３で挿入個所の選択で、ステップＳ４４で接続語の選択と判定したときは、指定個所ｗｓｉに選択された接続語Ｔｓｐを挿入する（Ｓ４５）。具体的には図３１（ｂ）に示すように、ＷＳ４が挿入個所と指定されと、仮完成文章ＸｐのＷＴ３とＷＴ４との間に１レコードを挿入し、このレコードにおいて画像ファイル番号はＸＧＴｐｏとし、蘭番号はＷＴ４とされ、イメージデータは『すると、』（Ｔｓｐ１）にされ、境界線番号はＷＳ４〜ＷＳ５とされた図３１（ｂ）に示す完成文章情報Ｙｉとなる。
【０１４１】
そして、ＯＫかどうかを判定する（Ｓ４８）。ＯＫの場合は、完成文章情報Ｙｉを複合印刷機３又は画面に表示する（図２９（ｂ）：Ｓ４９）。
【０１４２】
従って、低学年生でも自分の書いた文章の順番をコンピュータ画面で決めて、それを確認できると共に、接続語を入れられるので、文章のつながり及び構成を学習することになる。
【０１４３】
一方、個人絵本作成部２２は、絵本作りのボタンが選択されると、メモリ２０ｅに記憶された完成文章情報Ｙｉに含まれている若い番号の画像ファイルのレコードから順に引当て、このレコードに含まれている対話番号Ｌｉを有する問題毎該当文章作成済シート管理情報Ｆｆｉの主人公のカード絵と相手のカード絵とを読み込み、そのレコードのイメージデータＷＴＦｉとを読み込んでメモリ２３に絵本情報にして書き込む（図３２（ａ）参照）。
【０１４４】
そして、次に古い番号の画像ファイルのレコードを引当て、このレコード内の対話番号Ｌｉを有する問題毎該当文章作成済シート管理情報Ｆｆｉの主人公のカード絵を除いて相手のカード絵を読み込み、そのレコード内のイメージデータＷＴＦｉとを読み込んで絵本情報に書き込む。このような処理を最後の対話番号まで行うことで、図３２（ａ）から図３３２（ａ）に示すように個人が手書きで書いた文章の絵本を得る。
【０１４５】
また、文章に絵が不足しているとしたときは、図３３（ｂ）に示すように、袋から希望のカードの絵を取り出して貼り付ける。
【０１４６】
そして、図３３（ｃ）に示すように最後にタイトル得をリンク付けしてこの絵情報を記憶して複合印刷機から印刷させる。従って、低学年が手書きで作成した絵本が絵つきで生成されることになる。
【図面の簡単な説明】
【０１４７】
【図１】本実施の形態の文書作成システムの概略構成図である。
【図２】本実施の形態１のメイン処理を説明するフローチャートである。
【図３】袋のカード情報の登録を説明する説明図である。
【図４】袋のカード情報の登録を説明する説明図である。
【図５】袋のカード情報の登録を説明する説明図である。
【図６】袋情報を説明する説明図である。
【図７】お話し作り用対話絵作成部１５の処理を説明するための概略構成図である。
【図８】お話し作り用対話絵作成部の処理を説明するフローチャートである。
【図９】ｎ２法入力項目表情報Ｑｉの説明図である。
【図１０】ｎ２方項目入力済表Ｋｉ及び問題基本フォーム情報Ｈｉの表示を説明する説明図である。
【図１１】問題基本フォーム情報Ｈｉの説明図である。
【図１２】対話問題作成情報Ｐｉの作成過程を説明する説明図である。
【図１３】自動作成されたｎ２方項目入力済表Ｋｉ及び問題基本フォーム情報Ｈｉの表示を説明する説明図である。
【図１４】袋からのカードの選択を説明する説明図である。
【図１５】ｎ２法項目入力済表Ｋｉを生成するまでの過程を説明する説明図である。
【図１６】自動作成されたｎ２方項目入力済表Ｋｉ及び問題基本フォーム情報Ｈｉの表示の具体的な説明図である。
【図１７】シート毎問題文章作成部１８を説明する概略構成図である。
【図１８】問題毎文書書込用基本シートフォーム情報ｅｏ及び問題毎文書書込用シート情報ｅｉを説明する説明図である。
【図１９】シート毎問題文章作成部１８の処理を説明するフローチャートである。
【図２０】問題毎文書作成シート管理情報Ｗｉ及び問題毎解答文書作成済シート管理情報Ｆｆｉを説明する説明図である。
【図２１】シート毎文書取込部１９を説明する概略構成図である。
【図２２】文書順決定用基本フォーム情報Ｔｏ及び文書順決定用基本テーブルを説明する説明図である。
【図２３】接続語書込用基本シート情報ｂｉを説明する説明図である。
【図２４】シート毎書込文書取込部１９の動作を説明するフローチャートである。
【図２５】シート毎書込文書取込部１９の動作を説明するフローチャートである。
【図２６】問題毎文書書込済シートＦｉ及び接続語書込済シートＤｉの具体的な説明図である。
【図２７】文書順決定テーブル及びＴＨｉの具体例を説明する説明図である。
【図２８】新たなＴＨｉ及び変更された文書順決定用テーブルの具体例を説明する説明図である。
【図２９】仮完成文書及び完成文書の具体的な説明図である。
【図３０】ウインドウ及び接続語を説明する説明図である。
【図３１】仮完成文書情報Ｘｐ及び完成文書情報Ｙｉを説明する説明図である。
【図３２】絵本作りを説明する説明図である。
【図３３】絵本作りを説明する説明図である。
【符号の説明】
【０１４８】
１  本体部
３  複合印刷機
１０  モード設定部
１２  袋作成部
１５  お話し作り用対話絵作成部
１８  シート毎問題文章作成部
１９  シート毎書込文書取込部
２２  個人絵本作成部
【図１】
2009237606.tif 000003
【図２】
2009237606.tif 000004
【図３】
2009237606.tif 000005
【図４】
2009237606.tif 000006
【図５】
2009237606.tif 000007
【図６】
2009237606.tif 000008
【図７】
2009237606.tif 000009
【図８】
2009237606.tif 000010
【図９】
2009237606.tif 000011
【図１０】
2009237606.tif 000012
【図１１】
2009237606.tif 000013
【図１２】
2009237606.tif 000014
【図１３】
2009237606.tif 000015
【図１４】
2009237606.tif 000016
【図１５】
2009237606.tif 000017
【図１６】
2009237606.tif 000018
【図１７】
2009237606.tif 000019
【図１８】
2009237606.tif 000020
【図１９】
2009237606.tif 000021
【図２０】
2009237606.tif 000022
【図２１】
2009237606.tif 000023
【図２２】
2009237606.tif 000024
【図２３】
2009237606.tif 000025
【図２４】
2009237606.tif 000026
【図２５】
2009237606.tif 000027
【図２６】
2009237606.tif 000028
【図２７】
2009237606.tif 000029
【図２８】
2009237606.tif 000030
【図２９】
2009237606.tif 000031
【図３０】
2009237606.tif 000032
【図３１】
2009237606.tif 000033
【図３２】
2009237606.tif 000034
【図３３】
2009237606.tif 000035